(57)【特許請求の範囲】
【請求項１】
導電性のハウジングを備え、前記ハウジングの内部空間にＬＥＤ光源と前記ＬＥＤ光源を作動させるための電磁放射を発する点灯制御装置とが配置され、前記点灯制御装置を覆う導電性のカバーを前側に備えており、前記カバーと前記ハウジングとが互いに電気接続されている照明装置であって、
前記カバーは前記ＬＥＤ光源に対応してカバー開口部を備え、前記カバー開口部に前記ＬＥＤ光源から放射される光を制御するレンズを設け、
前記ＬＥＤ光源と前記点灯制御装置は前記ハウジングの両側に配置され、前記ＬＥＤ光源に対応して前記ハウジングの後面に複数の放熱フィンが設けられ、
前記ハウジングの後面の前記ＬＥＤ光源と前記点灯制御装置との間に放熱フィンを配置したことを特徴とする照明装置。
【請求項２】
前記ハウジングの後面の前記ＬＥＤ光源と前記点灯制御装置との間に配置した前記放熱フィンの長さは、他の部位に位置する前記放熱フィンの長さよりも長いことを特徴とする請求項１記載の照明装置。
【請求項３】
導電性のハウジングを備え、前記ハウジングの内部空間にＬＥＤ光源と前記ＬＥＤ光源を作動させるための電磁放射を発する点灯制御装置とが配置され、前記点灯制御装置を覆う導電性のカバーを前側に備えており、前記カバーと前記ハウジングとが互いに電気接続されている照明装置であって、
前記カバーは前記ＬＥＤ光源に対応してカバー開口部を備え、前記カバー開口部に前記ＬＥＤ光源から放射される光を制御するレンズを設け、
前記点灯制御装置は実装基板を備え、
前記ＬＥＤ光源と前記点灯制御装置の前記実装基板は前記ハウジングの両側に配置され、
前記ＬＥＤ光源は前記ハウジングの後面部の前面に固定され、
前記ハウジングの前記後面部の前記前面にはボス部が設けられ、前記実装基板に挿通した固定手段を前記ボス部に固定することにより該実装基板が前記ボス部を介して前記後面部に固定されると共に、固定状態で前記実装基板と前記後面部との間には隙間が設けられていることを特徴とする照明装置。
【請求項４】
前記ボス部に対応する前記ハウジングの後面に放熱フィンが配置されていることを特徴とする請求項３記載の照明装置。
【請求項５】
前記カバーは後面に導電性加工が施されていることを特徴とする請求項１〜４のいずれか１項に記載の照明装置。
【請求項６】
前記ＬＥＤ光源と前記レンズとの間には、前記ＬＥＤ光源の発光部に対応する開口部を有する導電性遮蔽部材を設け、前記導電性遮蔽部材が前記ハウジングに電気的に接続されていることを特徴とする請求項１〜５のいずれか１項に記載の照明装置。
【発明の詳細な説明】
【技術分野】
【０００１】
本発明は、導電性のハウジングを備え、このハウジングの内部空間にＬＥＤ光源とこのＬＥＤ光源を作動させるための電磁放射を発する点灯制御装置とを配置した照明装置に関する。
【背景技術】
【０００２】
従来、この種のものとして、導電性のハウジングを備え、その内部空間には少なくとも１つの光源と、少なくとも１つの光源を作動させるための電磁放射を発する少なくとも１つの切換コンポーネントとが配置されており、さらに切換コンポーネントを覆うための導電性のカバーを備えており、カバーとハウジングは互いに電気接続されている照明装置（例えば特許文献１）が提案されている。
【０００３】
前記照明装置では、ＬＥＤを作動させるためのスイッチング電源の高周波電磁放射の影響を抑えるために、完全に遮蔽された独立したハウジングの中でスイッチング電源を作動させるためコスト上昇と場所を取るという従来の問題に対し、金属製のハウジングの内部空間に配置したスイッチング電源の切換コンポーネントを、導電性のカバーで覆い、前記ハウジングと前記カバーを電気接続する構成を採用しており、前記導電性のカバーとしては、リフレクタ，導電性コーティングを施したレンズ及び導電性コーティングを施したガラスが例示されている。
【０００４】
前記リフレクタを用いる場合では、リフレクタに開口部を設け、この開口部にＬＥＤを臨ませているため、ＬＥＤの光線をレンズにより制御することができず、また、前記導電性コーティングを施したレンズを用いる場合は、ＬＥＤだけでなく切換コンポーネントを含めた全体を覆うため、使用するＬＥＤに比べて大きなレンズを必要とする上に、外部からレンズを通して内部の切換コンポーネントが視認される虞があり、また、前記導電性コーティングを施したガラスを用いる場合では、レンズなどによりＬＥＤの光を制御することができないと共に、外部からガラスを通して内部の切換コンポーネントが視認される虞がある。
【０００５】
また、前記照明装置では、高周波電磁放射の問題については考慮されているが、ＬＥＤの照明時に発生する熱については何等考慮されておらず、取付時に金属製のハウジングの外側に放熱のための空間を設ける必要が生じる場合があり、取付場所に制約を受け易いと共に、放熱のための空間と照明装置とを合わせた取付スペースが必要となる問題がある。
【先行技術文献】
【特許文献】
【０００６】
【特許文献１】特表２０１０−５３１０３７号公報
【発明の概要】
【発明が解決しようとする課題】
【０００７】
そこで、本発明は、上記課題を解決するものであり、ＬＥＤ光源を備えた照明装置特有のノイズ発生に伴う電磁障害の低減に加え、適正な配光を維持しつつ小型化が可能な照明装置を提供することを目的とする。
【課題を解決するための手段】
【０００８】
上記目的を達成するために、請求項１に係る発明は、導電性のハウジングを備え、前記ハウジングの内部空間にＬＥＤ光源と前記ＬＥＤ光源を作動させるための電磁放射を発する点灯制御装置とが配置され、前記点灯制御装置を覆う導電性のカバーを前側に備えており、前記カバーと前記ハウジングとが互いに電気接続されている照明装置であって、前記カバーは前記ＬＥＤ光源に対応してカバー開口部を備え、前記カバー開口部に前記ＬＥＤ光源から放射される光を制御するレンズを設け、前記ＬＥＤ光源と前記点灯制御装置は前記ハウジングの両側に配置され、前記ＬＥＤ光源に対応して前記ハウジングの後面に複数の放熱フィンが設けられ、前記ハウジングの後面の前記ＬＥＤ光源と前記点灯制御装置との間に放熱フィンを配置したことを特徴とする。
【０００９】
また、本願の請求項２に係る発明は、前記ハウジングの後面の前記ＬＥＤ光源と前記点灯制御装置との間に配置した前記放熱フィンの長さは、他の部位に位置する前記放熱フィンの長さよりも長いことを特徴とする。
【００１０】
また、本願の請求項３に係る発明は、導電性のハウジングを備え、前記ハウジングの内部空間にＬＥＤ光源と前記ＬＥＤ光源を作動させるための電磁放射を発する点灯制御装置とが配置され、前記点灯制御装置を覆う導電性のカバーを前側に備えており、前記カバーと前記ハウジングとが互いに電気接続されている照明装置であって、前記カバーは前記ＬＥＤ光源に対応してカバー開口部を備え、前記カバー開口部に前記ＬＥＤ光源から放射される光を制御するレンズを設け、前記点灯制御装置は実装基板を備え、前記ＬＥＤ光源と前記点灯制御装置の前記実装基板は前記ハウジングの両側に配置され、前記ＬＥＤ光源は前記ハウジングの後面部の前面に固定され、前記ハウジングの前記後面部の前記前面にはボス部が設けられ、前記実装基板に挿通した固定手段を前記ボス部に固定することにより該実装基板が前記ボス部を介して前記後面部に固定されると共に、固定状態で前記実装基板と前記後面部との間には隙間が設けられていることを特徴とする。
【００１１】
また、本願の請求項４に係る発明は、前記ボス部に対応する前記ハウジングの後面に放熱フィンが配置されていることを特徴とする。
【００１２】
また、請求項５に係る発明は、前記カバーは後面に導電性加工が施されていることを特徴とする。
【００１３】
また、請求項６に係る発明は、前記ＬＥＤ光源と前記レンズとの間には、前記ＬＥＤ光源の発光部に対応する開口部を有する導電性遮蔽部材を設け、前記導電性遮蔽部材が前記ハウジングに電気的に接続されていることを特徴とする。
【発明の効果】
【００１４】
本発明の請求項１及び２に記載の照明装置によれば、ＬＥＤ光源を備えた照明装置特有のノイズ発生に伴う電磁障害の低減に加え、適正な配光を維持しつつ小型化が可能となる。また、ＬＥＤ光源からの発熱を複数の放熱フィンで放熱することが可能になることから照明装置の更なる小型化が可能となる。
【００１５】
本発明の請求項３及び４に記載の照明装置によれば、点灯制御装置の実装基板とハウジングの後面部との間に隙間が設けられる。
【００１６】
本発明の請求項５に記載の照明装置によれば、ノイズ低減のための導電性ハウジングとカバーとの電気的結合位置を近接することで照明装置の更なる小型化が可能となる。
【００１７】
本発明の請求項６に記載の照明装置によれば、ＬＥＤ光源のカバー開口部からのノイズ低減を効果的に行うことが可能となる。
【図面の簡単な説明】
【００１８】
【図１】本発明の実施例１を示す照明装置の正面図である。
【図２】同上、図１のＡ−Ａ線端面図である。
【図３】同上、図１のＢ−Ｂ線端面図である。
【図４】同上、図１のＣ−Ｃ線端面図である。
【図５】同上、レンズの正面図である。
【図６】同上、ボス部などとの係合状態を示すレンズの正面図であり、係止部及び係入突起部の一部を断面にしている。
【図７】同上、導電性遮蔽部材の正面図である。
【図８】同上、ハウジングを前側から見た斜視図である。
【図９】同上、カバーを後側から見た斜視図である。
【図１０】同上、カバーを前側から見た斜視図である。
【図１１】同上、透明フードを外した状態の照明装置の斜視図である。
【図１２】同上、透明フードとカバーとレンズと遮蔽部材を取り外した状態の斜視図である。
【図１３】同上、透明フードとカバーとレンズと遮蔽部材を取り外した状態の斜視図であり、基板側コードとカバー側コードを図示している。
【図１４】同上、透明フードとカバーとレンズを取り外した状態の斜視図である。
【図１５】同上、透明フードとカバーとレンズを取り外した状態の斜視図であり、基板側コードとカバー側コードを図示している。
【図１６】同上、透明フードとカバーを取り外した状態の斜視図である。
【図１７】同上、透明フードとカバーを取り外した状態の斜視図であり、基板側コードとカバー側コードを図示している。
【図１８】同上、基板側コードとカバー側コードを示すハウジングの斜視図である。
【図１９】同上、カバーを後斜め下から見た斜視図であり、カバーにカバー側コードを接続した状態を示す。
【図２０】同上、図２０（Ａ）はハウジングの斜視図、図２０（Ｂ）はカバーの斜視図である。
【図２１】同上、放射ノイズ測定結果を示すグラフ図である。
【図２２】本発明の実施例２を示すカバーを後側から見た斜視図である。
【図２３】同上、アース部材の取付を説明する断面図であり、図２３（Ａ）はアース部材の取付前の状態、図２３（Ｂ）はアース部材によるアース構造を示す。
【図２４】本発明の実施例３を示すカバーを後側から見た斜視図である。
【図２５】同上、アース部材の取付状態を示す平面図である。
【図２６】本発明の実施例４を示すアース構造の拡大断面図である。
【図２７】本発明の実施例５を示す照明装置の平断面図である。
【図２８】本発明の実施例６を示す照明装置の平断面図である。
【発明を実施するための形態】
【００１９】
以下、図面を参照して、本発明の照明装置の実施例について説明する。
【実施例１】
【００２０】
図１〜図２１は本発明の実施例１を示し、本発明の照明装置１は、車両用として好適であって、例えばフォグランプとして用いることができる。
【００２１】
図２などに示すように、前記照明装置１は、導電性のハウジング２を備え、このハウジング２の内部空間３に、ＬＥＤ光源４と、このＬＥＤ光源４を作動させるための電磁放射を発する点灯制御装置５とが収納状態で配置されており、この点灯制御装置５の前側を導電性を有するカバー６により覆っている。また、前記カバー６には前記ＬＥＤ光源４の光放射位置の投影部にカバー開口部７を備え、このカバー開口部７を覆うように前記ＬＥＤ光源４の光を制御する光学レンズ８を設け、前記カバー６と前記ハウジング２は互いに電気接続され、さらに、前記レンズ８と前記ＬＥＤ光源４との間には導電性遮蔽部材９が配置されている。尚、ＬＥＤは発光ダイオードである。
【００２２】
前記ハウジング２は、導電性を備える金属、例えばアルミニウム又はアルミニウム合金などからなり、後部が後面部11により閉塞し、この後面部11から前側に向かって湾曲形状をなす上，下，左，右側面部12Ｕ，12Ｄ，12Ｌ，12Ｒが一体に設けられ、上，下，左，右側面部12Ｕ，12Ｄ，12Ｌ，12Ｒの前側には、図８などに示すように略楕円形の前面開口部13が設けられ、上，下，左，右側面部12Ｕ，12Ｄ，12Ｌ，12Ｒは後面部11から前面開口部13に向かって間隔が広がるように形成されており、前面開口部13は左右寸法が上下寸法より大きく形成されている。また、図２に示すように、左右方向他側である左側面部12Ｌが一側である右側面部12Ｒに比べて前後方向に長く形成され、これにより後面部11に対して前面開口部13が斜めに形成されている。尚、ハウジング２はアルミダイキャスト製法などにより製造することができる。
【００２３】
本実施例の照明装置１を車両のフォグランプなどとして用いる場合、本実施例で図示するものは、正面から見て車両の右側に装着され、この右側の照明装置１に対して、車両の左側に装着する照明装置は左右対称な形状をなす。また、ハウジング２のアースは、本実施例では行わないが、アースを行う場合は、ハウジング２を車両の適所に電気的に接続してなる。尚、照明装置１をフォグランプとして車両のバンパーなどに取り付けた場合、照明装置１の右側が車両の進行方向左側となる。
【００２４】
前記ＬＥＤ光源４は、前記内部空間３の左右方向一側である右側に配置されると共に、前記後面部11の前面に固定される。図８などに示すように、前記後面部11の前面には取付座14が突設され、この取付座14の前面は、平坦面に形成され、正面視で横長な長方形形状をなしている。そして、前記取付座14の前面に前記ＬＥＤ光源４の後面を当接し、その取付座14の左右にはビス孔14Ｈ，14Ｈが設けられ、前記当接状態で固定手段たるビス14Ｂを後面部11のビス孔14Ｈに螺着し、そのビス14Ｂの頭部と取付座14との間にＬＥＤ光源４を挟着している。また、取付座14の上部左右に位置決め突起部15，15を突設し、これら位置決め突起部15，15を挿通する透孔15Ｈ，15Ｈが、ＬＥＤ光源４の上部の左右に設けられ、図１２に示すように、それら位置決め突起部15，15を透孔15Ｈ，15Ｈに挿通することにより、取付座14にＬＥＤ光源４が位置決めされる。また、図１２などに示すように、ＬＥＤ光源４の下部には二股状の端子部17，17が設けられている。
【００２５】
前記左右のビス14Ｂ，14Ｂの位置に挟まれた中央側にＬＥＤ光源４の発光部16が設けられている。そして、前記発光部16及びその近傍で発光時に熱が発生するが、ＬＥＤ光源４の後面を前記取付座14に面接触した状態でＬＥＤ光源４をハウジング２に固定したため、その熱を後面部11側に効率よく逃がすことができる。
【００２６】
前記点灯制御装置５は、前記ＬＥＤ光源４とは反対に、前記内部空間３の左右方向一側である右側に配置され、電子部品を実装した実装基板21と、この実装基板21に設けたＬＥＤ駆動回路22とを備え、図１２に示すように、前記両端子部17，17と前記実装基板21とが電気コード20により接続され、点灯制御装置５によりＬＥＤ光源４の点灯制御が行われる。
【００２７】
また、図２及び図８などに示すように、前記後面部11の左側にはボス部23が設けられ、固定手段たるビス23Ｂを実装基板21に挿通し、そのビス23Ｂをボス部23に螺着することにより実装基板21が後面部11に固定される。また、図２に示すように、固定状態で、実装基板21と後面部11との間には隙間３Ｓが設けられている。また、内部空間３の両側に点灯制御装置５とＬＥＤ光源４を配置し、このように点灯制御装置５とＬＥＤ光源４は内部空間３において左右に離れた位置に配置されている。
【００２８】
前記レンズ８は光透過部材からなり、合成樹脂などの射出成形により製造され、レンズ本体24と、このレンズ本体24の周囲に設けたレンズ縁部25と、このレンズ縁部25の後部に設けたベース部26とを一体に備え、少なくともレンズ本体24は透明体である。
【００２９】
前記レンズ本体24は、後面側に凹面部24Ｂを有すると共に、この凹面部24Ｂに比べて曲率の大きい凸面部24Ｆを前面側に有し、それら凹面部24Ｂ及び凸面部24Ｆは曲面状をなす。また、レンズ本体24は、正面視で左右寸法が上下寸法より大きな略楕円形をなし、前記発光部16からの光を左右方向に広げるように拡散すると共に、上下方向に収束するように制御する。また、図２及び図３に示すように、前記レンズ縁部25は、前記凸面部24Ｆと曲率が不連続な前面を有し、即ち、レンズ縁部25の前面と前記凸面部24Ｆの間に屈曲部があり、そのレンズ縁部25の後側に前記ベース部26の側面部27が部分的に延設され、図５などに示すように、前記側面部27の上下から前記ベース部26の張出し部28が外側に張り出して設けられている。
【００３０】
図８及び図２０（Ａ）に示すようにハウジング２の後面部11には、その右側前面の上部に１箇所と下部に２箇所のボス部31，32，33を突設し、上部のボス部31は円筒形をなし、下部の一方のボス部32は円筒形をなし、下部の他方のボス部33は長孔形状をなし、このボス部33は左右方向に長く形成されている。尚、このボス部33もビスが螺合する孔は円形である。また、前記ベース部26の張出し部28には、前記ボス部31，32，33の先端側を挿入する透孔31Ｈ，32Ｈ，33Ｈが穿設され、これら透孔31Ｈ，32Ｈ，33Ｈは前記ボス部31，32，33に対応した形状をなす。また、透孔31Ｈは一部が開口し、この開口は直径より小さい。
【００３１】
図７などに示す前記導電性遮蔽部材９は、導電性を備える金属、例えばアルミニウム又はアルミニウム合金などからなり、光を遮蔽する。この例では、導電性遮蔽部材９は、カバー６に比べて薄い平板状をなし、前記レンズ本体24と略同一の大きさの遮蔽部材本体41を有し、この遮蔽部材本体41の中央に前記ＬＥＤ光源４の発光部16に対応して開口した開口部42が設けられ、この開口部42もレンズ本体24と同様に左右方向に長い略長円形又は略楕円形に形成されている。そして、導電性遮蔽部材９を備えることにより、カバー開口部７がありながら、ノイズ低減効果を得ることができる。尚、この例では、導電性遮蔽部材９に開口した開口部42により光通過部を構成している。
【００３２】
また、前記遮蔽部材本体41は、その周囲で上方の１箇所と下方の２箇所に突出部43，44，45を設けている。前記上方の突出部43に対応して、前記上部のボス部31の周囲には平坦な当接面部31Ｍが設けられ、この当接面部31Ｍに上方の突出部43の後面が当接した状態で、前記レンズ８の張出し部28の透孔31Ｈにボス部31を挿入し、一方、下方２箇所の突出部44，45には前記透孔32Ｈ，33Ｈと同一形状の透孔44Ｈ，45Ｈが穿設されており、それら透孔44Ｈ，45Ｈに各ボス部32，33の先端側を挿入する。
【００３３】
このようにしてハウジング２に導電性遮蔽部材９をセットした後、この導電性遮蔽部材９を覆うようにレンズ８を取り付ける。具体的には、各ボス部31，32，33の先端側をベース部26の透孔31Ｈ，32Ｈ，33Ｈに挿通し、各ボス部31，32，33に螺着固定手段たるビス46，46，46を螺着することにより導電性遮蔽部材９とレンズ８がハウジング２に固定され、レンズ８はＬＥＤ光源４の前方でＬＥＤ光源４と離間して配置される。また、導電性遮蔽部材９の上方の突出部43は、前記当接面部31Ｍと前記張出し部28の後面との間に挟着される。尚、固定状態で、図１６に示すように、レンズ８の中心と導電性遮蔽部材９の開口部42が発光部16の前方に位置する。
【００３４】
ここで、前記導電性遮蔽部材９のアース構造について説明すると、導電性遮蔽部材９をハウジング２に固定した状態で、導電性遮蔽部材９は、上方の突出部43が当接面部31Ｍに接し、下方の突出部44，45がボス部32，33に接することにより、ハウジング２と電気的に接続される。
【００３５】
前記カバー６は前記ハウジング２の前面開口部13と略同一形状をなし、合成樹脂などからなり、前面が凹んだ湾曲面部６Ｗを有し、前記カバー開口部７を覆うように前記レンズ８が設けられる。前記カバー開口部７の縁部７Ｆは、前記レンズ８のレンズ縁部25と略同一形状をなし、図２及び図３に示すように、取付状態でレンズ縁部25の前方にカバー開口部７の縁部７Ｆが位置し、カバー６の外部にはレンズ本体24のみが現われる。
【００３６】
また、レンズ８とカバー６の位置決め構造を説明すると、図９及び図２０（Ｂ）に示すように、カバー６の後面には、カバー開口部７の左右両側に略コ字枠状の係止部51Ｌ，51Ｒを突設し、これら左右の係止部51Ｌ，51Ｒが係止する係止受部29，29が前記レンズ本体24の左右に突設され、左右の係止部51Ｌ，51Ｒの先端部52が係止受部29の後部に係止する。前記先端部52は杆状であって、上下方向に配置されている。前記係止受部29には、前面先端側が基端側から先端側に後向きに傾斜した傾斜案内面29Ａが形成され、ハウジング２にカバー６を装着する際、先端部52が傾斜案内面29Ａに案内されて該先端部52が外側に移動するように係止部51Ｌ，51Ｒが変形して係止受部29，29の後面側に先端部52が係止する。
【００３７】
さらに、ハウジング２とカバー６の位置決め構造を説明すると、カバー６の後面には、左右方向両端側に略コ字枠状の位置決め突起部53Ｌ，53Ｒが後方に向かって突設され、これら位置決め突起部53Ｌ，53Ｒが係入する左右の位置決め受部たる位置決め枠部54Ｌ，54Ｒが、前記ハウジング２の左，右側面部12Ｌ，12Ｒの内面にそれぞれ設けられている。また、カバー６の後面には、上下に平板状の位置決め突起部55，55を突設され、これら上下の位置決め突起部55，55は前記上，下側面部12Ｕ，12Ｄの内面に係合してハウジング２に対するカバー６の上下位置を決める。
【００３８】
さらに、図５に示すように、前記ベース部26の側面部27の外面には、縦溝部30を設け、前記縦溝部30はレンズ８の上下にそれぞれ設けられ、その縦溝部30は両側の壁部30Ａ，30Ａの間により形成され、それら壁部30Ａ，30Ａは平行に設けられ、それら上，下の縦溝部30，30に係入する係入突起部56，56が前記カバー６の後面に突設されている。
【００３９】
尚、レンズ８を構成するレンズ本体24，レンズ縁部25，ベース部26，係止受部29及び縦溝部30などは、合成樹脂の一体成型により製造されている。
【００４０】
したがって、係止部51Ｌ，51Ｒと係止受部29，29との係止により、カバー６とレンズ８とが係止し、且つ、係止部51Ｌ，51Ｒがコ字枠状をなすから、カバー６とレンズ８の上下の位置決めがなされる。また、左右の位置決め突起部53Ｌ，53Ｒと位置決め枠部54Ｌ，54Ｒとの係合及び上下の位置決め突起部55，55と上，下側面部12Ｕ，12Ｄの内面との係合により、ハウジング２に対してカバー６が位置決めされる。このように左右の係止部51Ｌ，51Ｒと係止受部29，29、位置決め突起部53Ｌ，53Ｒと位置決め枠部54Ｌ，54Ｒ、上下の位置決め突起部55，55と上，下側面部12Ｕ，12Ｄの内面という複数の位置決め手段を備えるため、車両などの振動条件においても、確実な位置決め状態を保持できる。
【００４１】
さらに、前記カバー６の後面には、後述する電気コードの一方の圧着端子を接続する導電用ボス部57が突設されている。
【００４２】
前記カバー６は導電性加工が施されて導電性を有し、この例ではカバー６にアルミ蒸着や鍍金処理加工を施すことにより少なくともカバー６の点灯制御装置５側の面の略全面が導電層により覆われており、その前面はアルミ蒸着の導電層の上、又は直接に着色塗装を施して光輝性を有し、これによりカバー６の前面に加飾性を付与している。尚、カバー６の点灯制御装置５側の面は、カバー６の後面である。
【００４３】
次に、前記実装基板21とカバー６のアース構造について説明すると、図１７に示すように、前記実装基板21に基板側コード61を接続し、この基板側コード61の圧着端子61Ａを前記ボス部33に接触した状態で、前記ビス46を該ボス部33に螺着しており、これにより実装基板21がハウジング２に電気的に接続されている。また、前記圧着端子61Ａにはカバー側コード62の一端が接続されており、このカバー側コード62の他端に圧着端子62Ａを設け、この圧着端子62Ａがビス62Ｂにより前記導電用ボス部57に固定され、そのカバー側コード62により前記ハウジング２とカバー６とが電気的に接続される。尚、図１７などでは、カバー６は図示していないが、カバー側コード62をカバー６に接続した状態で図示している。
【００４４】
また、図２などに示すように、前記ハウジング２の前面開口部13の周縁には、前側が開口した凹溝部63が全周に渡って形成されている。さらに、照明装置１は、前記前面開口部13を塞ぐ透明フード64を備え、この透明フード64は透明な合成樹脂からなり、略一定厚さで、その前側が僅かに凸となる湾曲形状をなし、前記前面開口部13と略同一形状をなす。また、透明フード64は、その後面の全周囲に凸条部65が周設され、この凸条部65が前記凹溝部63内に係入する。
【００４５】
そして、前記凹溝部63の全周に、接着性を有するシール材66を充填し、このシール材66を押し潰すようにして前記凸条部65を凹溝部63内に挿入すると、シール材66により前面開口部13に透明フード64が接着固定されると共に、両者が気密に接着される。
【００４６】
前記実装基板21には、外部接続用のコード67が接続されている。図４に示すように、前記コード67を挿通する挿通筒部68を後面部11に設け、前記挿通筒部68は実装基板21側で下部側に配置されると共に、後方に向って突設されている。そして、前記コード67を挿通筒部68から外部に引き出し、挿通筒部68の後側において、コード67に外装したパッキン（図示せず）などにより、挿通筒部68を気密にシールしている。
【００４７】
上述したように、前面開口部13が透明フード64で気密に閉塞され、外部接続用のコード67を挿通した挿通筒部68がパッキンなどにより気密に閉塞されている。一方、前記後面部11の実装基板21側には、ハウジング２の内外を連通する連通筒部69を設け、この連通筒部69を気密に閉塞するキャップ70を備える。そして、ハウジング２の内部空間３を気密にした状態で、前記連通筒部69から内部の空気を減圧して抜き、空気を抜いた後、不活性ガスなどを内部空間３に充填し、この後、キャップ70を連通筒部69に被せて連通筒部69を気密に閉塞する。
【００４８】
次に、本発明の他の特徴構造である放熱構造について説明すると、図２及び図３に示すように、前記ハウジング２には、前記後面部11の後面に複数の放熱フィン71，71Ａが一体に設けられ、これら放熱フィン71，71Ａは、前記後面部11と略直交して後向きに突設され、左右方向略等間隔に配置されている。また、放熱フィン71は放熱フィン71Ａより前後方向に長く、発光部16の後に放熱フィン71を設け、この後面部11の実装基板21側にも放熱フィン71を設けたから、ＬＥＤ光源４の熱を放熱フィン71，71Ａにより逃がすと共に、前記２枚の放熱フィン71，71による放熱によって、実装基板21への発光部16の熱影響を抑制することができる。さらに、放熱フィン71，71Ａは、上下方向一側、この例では上縁に段部72を設けて後端側の高さが低く形成されている。
【００４９】
このように照明装置１は、内部空間３の両側に点灯制御装置５とＬＥＤ光源４を配置し、また、放熱フィン71，71Ａを左右一側に配置しており、照明装置１は左右非対称なものである。
【００５０】
そして、ＬＥＤ光源４の後面を取付座14に面接触した状態で、ＬＥＤ光源４を取付座14に固定し、そのＬＥＤ光源４の周辺部に相当するハウジング２の後面部11に、放熱フィン71，71Ａを設けたから、ＬＥＤ光源４から発する熱を効率よく放熱することができる。また、このようにＬＥＤ光源４の周辺部に集中して放熱フィン71，71Ａを配置したから、後面部11の実装基板21側には挿通筒部68や連通筒部69を設けるスペースを確保することができ、また、取付スペースを取らない。
【００５１】
また、ハウジング２の左，右側面部12Ｌ，12Ｒにはそれぞれ外向きの取付用ボス部75，75が突設されており、車両などの取付箇所において、それら取付用ボス部75，75に取付手段たるビス（図示せず）を螺着することにより取付箇所に照明装置１が取り付けられる。尚、取付用ボス部75は前面開口部13と略平行に突設されている。
【００５２】
以上のように、導電性のハウジング２の前面開口部13を導電性のカバー６で覆い、ハウジング２とカバー６とをカバー側コード62により電気的に接続したから、高周波電磁放射のノイズの漏れを防止でき、また、レンズ８を設けるカバー開口部７に対応してレンズ８の後方に導電性遮蔽部材９を設けたから、カバー開口部７からの電磁波ノイズの漏れを抑制できると共に、開口部42以外は導電性遮蔽部材９に覆われるため、開口部42以外はＬＥＤ光源４が外部から視認されることがない。
【００５３】
図２１は、放射ノイズ測定結果を示すグラフ図であり、縦軸にノイズ（ｄＢ）、横軸に周波数（ＭＨｚ）を取ったものであって、「暗ノイズ」、実施例１の照明装置１でカバー６の無いものを「比較例」、後述する「実施例２」、実施例１の照明装置１である「実施例１」、「クラス５規格値」のそれぞれの測定結果を示し、カバー６の無い「比較例」に比べて「実施例１」がノイズ低減効果に優れることが分かる。
【００５４】
このように本実施例では、請求項１に対応して、導電性のハウジング２を備え、ハウジング２の内部空間３にＬＥＤ光源４とこのＬＥＤ光源４を作動させるための電磁放射を発する点灯制御装置５とが配置され、点灯制御装置５の前側を覆う導電性のカバー６を備えており、カバー６とハウジング２とが互いに電気接続されている照明装置１であって、カバー６はＬＥＤ光源４に対応してカバー開口部７を備え、カバー開口部７にＬＥＤ光源４から放射される光を制御するレンズ８を設けてなるから、ＬＥＤ光源４を備えた照明装置特有のノイズ発生に伴う電磁障害の低減に加え、適正な配光を維持しつつ小型化が可能となる。
【００５５】
また、このように本実施例では、請求項２に対応して、ハウジング２の後面のＬＥＤ光源４と点灯制御装置５との間に配置した放熱フィン71の長さは、他の部位に位置する放熱フィン71Ａの長さよりも長い。
【００５６】
また、このように本実施例では、請求項３に対応して、点灯制御装置５は実装基板21を備え、ＬＥＤ光源４と点灯制御装置５の実装基板21はハウジング２の両側に配置され、ＬＥＤ光源４はハウジング２の後面部11の前面に固定され、ハウジング２の後面部11の前面にはボス部23が設けられ、実装基板21に挿通した固定手段たるビス23Ｂをボス部23に固定することにより該実装基板21がボス部23を介して後面部11に固定されると共に、固定状態で実装基板21と後面部11との間には隙間３Ｓが設けられている。
【００５７】
また、このように本実施例では、請求項４に対応して、ボス部23に対応するハウジング２の後面に放熱フィンが配置されている。
【００５８】
また、このように本実施例では、請求項５に対応して、カバー６は後面に導電性加工が施されているから、ノイズ低減のための導電性ハウジング２とカバー６との電気的結合位置を近接することで照明装置１の更なる小型化が可能となると共に、その電気的結合を容易に行うことができる。
【００５９】
また、このように本実施例では、請求項６に対応して、ＬＥＤ光源４とレンズ８との間には、ＬＥＤ光源４の発光部16に対応する開口部42を有する導電性遮蔽部材９を設け、導電性遮蔽部材９がハウジング２に電気的に接続されているから、ＬＥＤ光源４のカバー開口部７からのノイズ低減を効果的に行うことが可能となる。
【００６０】
また、このように本実施例では、請求項１に対応して、ＬＥＤ光源４と点灯制御装置５はハウジング２の両側に配置され、ＬＥＤ光源４に対応してハウジング２の後面に複数の放熱フィン71，71Ａが設け、ハウジング２の後面のＬＥＤ光源４と点灯制御装置５との間に放熱フィン71を配置したから、ＬＥＤ光源４からの発熱を複数の放熱フィン71，71Ａで放熱することが可能になることから照明装置１の更なる小型化が可能となる。
【００６１】
また、実施例上の効果として、ハウジング２とカバー６とをカバー側コード62により電気的に接続したことにより、高いノイズ抑制効果が得られる。また、カバー６は後面に導電性加工を施したものであるから、複雑な形状でも、合成樹脂の成型により製造できるから、金属製のものに比べて安価なものとなる。また、カバー６の内面に導電用ボス部57を突設し、カバー側コード62にはビス62Ｂを挿通する端子たる圧着端子62Ａを設けたから、カバー側コード62のカバー６への固定と電気的接続を簡便に行うことができる。また、カバー６の前面は着色塗装を施して光輝性を付与したから、カバー６はリフレクタとしての機能は備えないものの、加飾性を有するものとなり、この加飾性を有するカバー６によりノイズを低減できる。
【００６２】
また、導電性遮蔽部材９は、複数の接続箇所である突出部43，44，45がハウジング２に接するから、導電性遮蔽部材９とハウジング２との電気的接続を確実に行うことができる。さらに、導電性遮蔽部材９は、導電性を有すると共に前から後が見えない遮蔽性を有する平板状の板材からなるから、これに光通過部となる開口部42を穿設して安価に製造することができる。
【００６３】
さらに、レンズ８を固定するビス46により、端子たる圧着端子61Ａをボス部33に固定及び電気的接続を行うことができ、また、そのボス部33は長孔形状をなすから、圧着端子61Ａとの接触面積を大きく取ることができ、それらの電気的接続を良好に行うことができ、さらに、圧着端子61Ａに基板側コード61とカバー側コード62の両者を接続しているから、１つのビス46により、両者のハウジング２への固定と電気的接続を行うことができる。
【００６４】
また、カバー開口部７の左右両側に略コ字枠状の係止部51Ｌ，51Ｒを設け、レンズ８に係止受部29，29を設けると共に、上，下の縦溝部30，30に係入する係入突起部56，56を前記カバー６の後面に突設し、さらに、係止部51Ｌ，51Ｒ及び係入突起部56，56がレンズ８を上下左右から挟むように配置されているから、レンズ８へのカバー開口部７の固定と位置決めとを確実に行うことができる。また、カバー６の後面には、左右方向両端に位置決め突起部53Ｌ，53Ｒが突設され、これら位置決め突起部53Ｌ，53Ｒが圧入固定される左右の位置決め枠部54Ｌ，54Ｒが、前記ハウジング２の左，右側面部12Ｌ，12Ｒの内面に沿ってそれぞれ設けられているから、ハウジング２にカバー６を前後左右に位置決めして固定することができると共に、振動条件においても確実な位置決めを行うことができる。
【実施例２】
【００６５】
図２２〜図２３は、本発明の実施例２を示し、上記実施例１と同一部分に同一符号を付し、その詳細な説明を省略して詳述する。この例では、カバー６のアース構造に電気コードを用いることなく、カバー６をハウジング２に電気的に接続しており、同図に示すように、カバー６の後面周囲にアース部材81を取り付けている。このアース部材81は、バネ性を有する金属板片を略Ｕ字状に折り曲げて一側部81Ａと他側部81Ｂを有する。尚、バネ性を有する金属板片としては、例えばステンレスバネ鋼が例示される。
【００６６】
前記アース部材81はカバー６の周囲側の対向する位置、この例では上下にそれぞれを取り付けられている。この取付のために前記カバー６の後面に複数の溶着ピン部82，82を突設し、これら溶着ピン部82，82に対応して、前記アース部材81の一側部81Ａに透孔82Ｈ，82Ｈを穿設し、前記透孔82Ｈに溶着ピン部82を挿通した状態で、溶着ピン部82の先端82Ｔを熱により変形させて押し潰すことにより、カバー６にアース部材81が溶着を用いて固定され、且つ一側部81Ａがカバー６の導電層に電気的に接続される。
【００６７】
そして、上下のアース部材81，81の他側部81Ｂ，81Ｂの間隔を狭めるようにして、ハウジング２の前面開口部13にカバー６を装着すると、アース部材81の他側部81Ｂがハウジング２の上，下側面部12Ｕ，12Ｄの内面に圧接し、カバー６とハウジング２とが電気的に接続される。
【００６８】
また、放射ノイズ測定結果を示すグラフ図において、本実施例の照明装置１である「実施例２」が示すように、カバー６の無い「比較例」に比べて「実施例２」がノイズ低減効果に優れることが分かる。
【００６９】
このように本実施例では、アース部材81によりカバー６とハウジング２とが互いに電気接続されるから、上記実施例１と同様な作用・効果を奏し、また、この例では、カバー側コード62が不要となり、ハウジング２にカバー６を組み付けることにより、両者を電気的に接続することができ、複数のアース部材81を用いるから、確実な電気的接続を保持することができる。
【実施例３】
【００７０】
図２４〜図２５は、本発明の実施例３を示し、上記各実施例と同一部分に同一符号を付し、その詳細な説明を省略して詳述する。この例では、カバー６のアース構造に電気コードを用いることなく、カバー６をハウジング２に電気的に接続しており、同図に示すように、位置決め突起部53Ｌに装着する導電性クリップたるアース部材85を用いている。このアース部材85は、バネ性を有する金属板などからなり、例えばステンレスバネ鋼が例示される。前記アース部材85は、一側部86と他側部87との基端を折り返し部88により連結した略Ｖ字状の形状をなし、それら一側部86と他側部87の先端側にそれぞれ略へ字状の折曲げ部86Ａ，87Ａを設けてこれら折曲げ部86Ａ，87Ａとの間に隙間からなる幅狭部89を形成し、この幅狭部89位置から一側部86と他側部87の間隔が先端側に向かって開くように形成されている。また、一側部86と他側部87の一方である一側部86の先端側を部分的に切り起した湾曲状の係止片部90を設け、この係止片部90は幅狭部89に位置すると共に、係止片部90の先端と他側部87の間に間隔を設けている。また、アース部材85は、幅狭部89の基端側に、位置決め突起部53Ｌの先端杆91が装着される装着受部92が形成され、この装着受部92の中央側は前記幅狭部89に比べて広く形成されている。
【００７１】
そして、位置決め突起部53Ｌの先端杆91を、一側部86と他側部87の先端間に挟むように配置し、ここからアース部材85を前側に押すと、係止片部90が先端杆91に押されて幅狭部89が開き、装着受部92内に先端杆91が係入し、係止片部90が抜け止めとなり、これにより位置決め突起部53Ｌにアース部材85が装着される。
【００７２】
そして、上述したように、ハウジング２にカバー６を取り付けると、装着受部92が前記位置決め枠部54Ｌに弾性変形しながら圧入され、アース部材85によりハウジング２にカバー６が電気的に接続される。
【００７３】
このように本実施例では、アース部材85によりカバー６とハウジング２とが互いに電気接続されるから、上記各実施例と同様な作用・効果を奏し、また、この例では、カバー側コード62が不要となり、ハウジング２にカバー６を組み付けることにより、両者を電気的に接続することができる。
【００７４】
尚、位置決め突起部53Ｌに前記アース部材85を装着し、複数のアース部材85を用いてもよい。
【実施例４】
【００７５】
図２６は、本発明の実施例４を示し、上記各実施例と同一部分に同一符号を付し、その詳細な説明を省略して詳述する。図２６は図２の位置決め枠部54Ｌ回りの拡大断面図である。この例では、カバー６のアース構造に電気コードを用いることなく、カバー６をハウジング２に電気的に接続しており、同図に示すように、位置決め枠部54Ｌに装着するアース部材85Ａを用いている。このアース部材85Ａは、前記係止片部90がない以外は実施例３のアース部材85と同一構成であり、前記位置決め枠部54Ｌ内に装着される。
【００７６】
そして、ハウジング２にカバー６を取り付けると、位置決め突起部53Ｌの先端杆91が装着受部92内に挿入されると共に、アース部材85Ａの折曲げ部86Ａ，87Ａが位置決め突起部53Ｌを挟み付け、アース部材85によりハウジング２にカバー６が電気的に接続される。
【実施例５】
【００７７】
図２７は、本発明の実施例５を示し、上記各実施例と同一部分に同一符号を付し、その詳細な説明を省略して詳述する。この例の導電性遮蔽部材９は、後側から前側に広がるように形成され、ＬＥＤ駆動回路22とレンズ８との間を遮るように配置した斜めの壁部93を有し、カバー開口部７からのノイズの漏れを防止している。
【００７８】
また、発光部16の周辺部である右側面部12Ｒにも、複数の放熱フィン71Ｂを間隔を置いて設け、これら放熱フィン71Ｂも放熱フィン71，71Ａと同一方向に突設されており、ＬＥＤ光源４からの発熱を複数の放熱フィン71，71Ａ，71Ｂで放熱することができる。さらに、放熱フィン71，71Ａはアルミのダイキャスト製法などによりハウジング２に一体に設けられているから、安価に製造することができる。
【００７９】
図２８は、本発明の実施例６を示し、上記各実施例と同一部分に同一符号を付し、その詳細な説明を省略して詳述する。この例の前記導電性遮蔽部材９Ａは、光透過性を有する板材からなり、例えば合成樹脂製であって、発光部16に対応した光通過部42Ａを除いて導電性加工と遮蔽加工を施している。その導電性加工として、アルミ蒸着や鍍金処理加工を施すことにより少なくともカバー６の後面又は前面に導電層94を設けており、遮蔽加工として、遮蔽性を有する塗料をカバー６の後面又は前面に塗布して遮蔽層95を設けている。尚、この場合、光を通さない遮蔽部分である遮蔽層95は、光通過部42Ａ以外から発光部16の光が外部に漏れない範囲に設定されていればよい。
【００８０】
また、発光部16の周辺部である右側面部12Ｒにも、複数の放熱フィン71Ｃを間隔を置いて設け、これら放熱フィン71Ｃは放熱フィン71，71Ａと交差する方向で左右方向外側に突設されており、ＬＥＤ光源４からの発熱を複数の放熱フィン71，71Ａ，71Ｃで放熱することができる。尚、放熱フィン71Ｃは前面開口部13と略平行に突設されているため、バンパーなどの内部空間を有効利用できる。
【００８１】
このように本実施例では、上記各実施例と同様な作用・効果を奏し、また、本実施例では、ＬＥＤ光源４とレンズ８との間に導電性遮蔽部材９を設けると共に、この導電性遮蔽部材９にはＬＥＤ光源４から照射する光が通過する光通過部42Ａを設け、導電性遮蔽部材９がハウジング２に電気的に接続されているから、ＬＥＤ光源４のカバー開口部７からのノイズ低減を効果的に行うことが可能となる。
【００８２】
また、照明装置１を車両用として用いる場合、車両の左右外側である右側に複数の放熱フィン71Ｃを突設しているから、車両のバンパーなどの空きスペースを有効に利用することができ、特に、放熱フィン71Ｃは前面開口部13と略平行に突設されているから、バンパーなどの取付に適したものとなる。
【００８３】
尚、本発明は、本実施例に限定されるものではなく、本発明の要旨の範囲内で種々の変形実施が可能である。例えば、導電性加工はアルミ蒸着や鍍金以外にコーティングなど各種の加工を用いることができる。また、ハウジングの点灯制御装置側に放熱フィンを設けてもよい。さらに、位置決め部の形状は実施例の形状に限らず、各種の形状のものを用いることができる。また、ハウジングの形状は実施例の形状に限定されず、後面部と開口部を有する箱型であれば各種のものを用いることができる。さらに、本発明は車両用以外に家庭用など各種の照明装置に用いることができることは言うまでもない。
【符号の説明】
【００８４】
１  照明装置
２  ハウジング
３  内部空間
３Ｓ  隙間
４  ＬＥＤ光源
５  点灯制御装置
６  カバー
７  カバー開口部
８  レンズ
９  導電性遮蔽部材
11  後面部
21  実装基板
23  ボス部
23Ｂ  ビス（固定手段）
53Ｌ，53Ｒ  位置決め突起部（位置決め部）
54Ｌ，54Ｒ  位置決め枠部（位置決め受部）
55  位置決め突起部（位置決め部）
62  カバー側コード
71  放熱フィン
71Ａ  放熱フィン
81  アース部材
85  アース部材
85Ａ  アース部材
【図１】
0005690764.tif 000002
【図２】
0005690764.tif 000003
【図３】
0005690764.tif 000004
【図４】
0005690764.tif 000005
【図５】
0005690764.tif 000006
【図６】
0005690764.tif 000007
【図７】
0005690764.tif 000008
【図８】
0005690764.tif 000009
【図９】
0005690764.tif 000010
【図１０】
0005690764.tif 000011
【図１１】
0005690764.tif 000012
【図１２】
0005690764.tif 000013
【図１３】
0005690764.tif 000014
【図１４】
0005690764.tif 000015
【図１５】
0005690764.tif 000016
【図１６】
0005690764.tif 000017
【図１７】
0005690764.tif 000018
【図１８】
0005690764.tif 000019
【図１９】
0005690764.tif 000020
【図２０】
0005690764.tif 000021
【図２１】
0005690764.tif 000022
【図２２】
0005690764.tif 000023
【図２３】
0005690764.tif 000024
【図２４】
0005690764.tif 000025
【図２５】
0005690764.tif 000026
【図２６】
0005690764.tif 000027
【図２７】
0005690764.tif 000028
【図２８】
0005690764.tif 000029